(57)【要約】【課題】  開閉片のいずれかを操作することにより簡単に蓋を開くことができ、閉めるときはカチッという吸着閉鎖感がある閉じる操作ができる合成樹脂製嵌合容器を提供する。【解決手段】  本体側嵌合部４から容器外方に延出する本体側開閉片６と、蓋体側嵌合部５から容器外方に延出する蓋体側開閉片７とを設け、  本体側開閉片６は、本体側開閉片基端部６ａと、相対的に大径の曲率半径を有する本体側開閉片第１係合部６ｂと、相対的に小径の曲率半径を有し膨出方向が本体側開閉片第１係合部６ｂの膨出方向と反対の本体側開閉片第２係合部６ｃとを有し、  蓋体側開閉片７は、蓋の閉状態において本体側開閉片６に沿って延在する、蓋体側開閉片基端部７ａと、蓋体側開閉片第１係合部７ｂと、蓋体側開閉片第２係合部７ｃと、蓋体側開閉片アーム部７ｄとを有するようにした。【選択図】  図２
2006111274.tif 000002
【特許請求の範囲】
【請求項１】
合成樹脂製の本体と蓋体、あるいは互いに枢動開閉可能に形成された合成樹脂製の本体部と蓋体部からなり、
前記本体あるいは本体部と前記蓋体あるいは蓋体部は、本体側嵌合部と蓋体側嵌合部で互いに嵌合し、
前記本体あるいは本体部は前記本体側嵌合部から容器外方に延出する本体側開閉片を有し、
前記本体側開閉片は、延出方向と平行な垂直断面によって切断した断面形状が、本体側開閉片基端部と、前記本体側開閉片基端部に接続し相対的に大径の曲率半径を有する本体側開閉片第１係合部と、前記本体側開閉片第１係合部に接続し相対的に小径の曲率半径を有し膨出方向が前記本体側開閉片第１係合部の膨出方向と反対の本体側開閉片第２係合部とを有し、
前記蓋体あるいは蓋体部は前記蓋体側嵌合部から容器外方に延出する蓋体側開閉片を有し、
前記蓋体側開閉片は、蓋の閉状態においてその延出方向と平行な垂直断面によって切断した断面形状が、前記本体側開閉片基端部に沿って延在する蓋体側開閉片基端部と、前記蓋体開閉片基端部に接続し前記本体側開閉片第１係合部に沿って延在し前記本体側開閉片第１係合部と係合する蓋体側開閉片第１係合部と、前記蓋体側開閉片第１係合部に接続し前記本体側開閉片第２係合部に沿って延在し前記本体側開閉片第２係合部と係合する蓋体側開閉片第２係合部と、前記蓋体側開閉片第２係合部に続く蓋体側開閉片アーム部とを有する、ことを特徴とする合成樹脂製嵌合容器。
【請求項２】
前記本体側開閉片第１係合部は下方に膨出し、前記本体側開閉片第２係合部は前記本体側開閉片第１係合部の内側に膨出することを特徴とする請求項１に記載の合成樹脂製容器。
【請求項３】
前記本体側開閉片第１係合部は上方に膨出し、前記本体側開閉片第２係合部は前記本体側開閉片第１係合部の内側に膨出することを特徴とする請求項１に記載の合成樹脂製容器。
【請求項４】
前記本体側開閉片は、前記本体側開閉片第２係合部に接続し、前記蓋体側開閉片アーム部と異なる長さの本体側開閉片アーム部を有することを特徴とする請求項１〜３のいずれかに記載の合成樹脂製容器。
【請求項５】
前記本体側開閉片アーム部は、前記本体側開閉片第２係合部に続く第１アーム部と、前記第１アーム部に続く前記第１アーム部に対して直角に配設された第２アーム部とを有することを特徴とする請求項４に記載の合成樹脂製容器。
【請求項６】
合成樹脂製の本体と蓋体、あるいは互いに枢動開閉可能に形成された合成樹脂製の本体部と蓋体部からなり、
前記本体あるいは本体部と前記蓋体あるいは蓋体部は、本体側嵌合部と蓋体側嵌合部で互いに嵌合し、
前記本体あるいは本体部は前記本体側嵌合部から容器外方に延出する本体側開閉片を有し、
前記本体側開閉片は、延出方向と平行な垂直断面によって切断した断面形状が、本体側開閉片基端部と、前記本体側開閉片基端部に接続し下方に膨出する円弧状の本体側開閉片第１係合部と、前記本体側開閉片第１係合部の先端部あるいはそれに続く小片に形成された前記本体側開閉片第１係合部の内側に突出する突起からなる本体側開閉片第２係合部とを有し、
前記蓋体あるいは蓋体部は前記蓋体側嵌合部から容器外方に延出する蓋体側開閉片を有し、
前記蓋体側開閉片は、蓋の閉状態においてその延出方向と平行な垂直断面によって切断した断面形状が、前記本体側開閉片基端部に沿って延在する蓋体側開閉片基端部と、前記蓋体側開閉片基端部に接続し前記本体側開閉片第１係合部に沿って延在し前記本体側開閉片第１係合部と係合する蓋体側開閉片第１係合部と、前記蓋体側開閉片第１係合部の先端部あるいは前記蓋体側開閉片第１係合部に続く小片に形成され前記本体側開閉片第２係合部の突起と係合する溝からなる蓋体側開閉片第２係合部と、前記蓋体側開閉片第２係合部に続く蓋体側開閉片アーム部とを有する、ことを特徴とする合成樹脂製嵌合容器。
【請求項７】
合成樹脂製の本体と蓋体、あるいは互いに枢動開閉可能に形成された合成樹脂製の本体部と蓋体部からなり、
前記本体あるいは本体部と前記蓋体あるいは蓋体部は、本体側嵌合部と蓋体側嵌合部で互いに嵌合し、
前記本体あるいは本体部は前記本体側嵌合部から容器外方に延出する本体側開閉片を有し、
前記本体側開閉片は、延出方向と平行な垂直断面によって切断した断面形状が本体側開閉片基端部と、前記本体側開閉片基端部に続く上方に膨出する円弧状の本体側開閉片第１係合部と、前記本体側開閉片第１係合部の先端部あるいはそれに続く小片の前記本体側開閉片第１係合部の膨出側表面に形成された溝からなる本体側開閉片第２係合部とを有し、
前記蓋体あるいは蓋体部は前記蓋体側嵌合部から容器外方に延出する蓋体側開閉片を有し、
前記蓋体側開閉片は、蓋の閉状態においてその延出方向と平行な垂直断面によって切断した断面形状が、前記本体側開閉片基端部に沿って延在する蓋体側開閉片基端部と、前記蓋体側開閉片基端部に接続し前記本体側開閉片第１係合部に沿って延在し前記本体側開閉片第１係合部と係合する蓋体側開閉片第１係合部と、前記蓋体側開閉片第１係合部の先端部あるいは前記蓋体側開閉片第１係合部に続く小片に形成され前記本体側開閉片第２係合部の溝と係合する突起からなる蓋体側開閉片第２係合部と、前記蓋体側開閉片第２係合部に続く蓋体側開閉片アーム部とを有する、ことを特徴とする合成樹脂製嵌合容器。
【請求項８】
前記本体側開閉片は、前記本体側開閉片第２係合部に接続し、前記蓋体側開閉片アーム部と異なる長さの本体側開閉片アーム部を有することを特徴とする請求項６または７に記載の合成樹脂製容器。
【請求項９】
前記本体側開閉片アーム部は、前記本体側開閉片第２係合部に続く第１アーム部と、前記第１アーム部に続く前記第１アーム部に対して直角に配設された第２アーム部とを有することを特徴とする請求項８に記載の合成樹脂製容器。
【発明の詳細な説明】
【技術分野】
【０００１】
本発明は、合成樹脂製嵌合容器に関する。
【０００２】
特に、本発明は、互いに係合する開閉片を本体と蓋体に設け、前記開閉片のいずれかを操作することにより簡単に蓋を開くことができ、閉めるときはカチッという吸着閉鎖感がある蓋を閉じる操作ができる合成樹脂製嵌合容器に関する。
【背景技術】
【０００３】
合成樹脂製の蓋付き容器が数多く提案され、数多くのものが実用化されている。
【０００４】
一般的に、合成樹脂製の蓋付き容器は、互いに分離した本体と蓋体、あるいは互いに枢動開閉可能に形成された合成樹脂製の本体部と蓋体部からなる。
【０００５】
これらの容器は、本体あるいは本体部（以下まとめて「本体等」という）内に物を配置し蓋体あるいは蓋体部（以下「蓋体等」という）を閉じることにより、本体等の内部に物を収容し、保管、輸送、展示等に使用される。
【０００６】
前記本体等と蓋体等は、互いに嵌合する嵌合部を有している。
【０００７】
前記嵌合部は種々の形状のものがあるが、代表的なものに、本体等の上縁部にコ字状に折り返したフランジと垂下部（本体側嵌合部）を設け、蓋体等の周縁部に上記本体側嵌合部に被さって弾性的に係合する垂下部（蓋体側嵌合部）とからなるものがある。
【０００８】
これらの嵌合部（本体側嵌合部と蓋体側嵌合部）を有する容器の蓋を閉めるときは、本体側嵌合部と蓋体側嵌合部とを整合させ、蓋体側嵌合部を押し下げることにより、蓋体側嵌合部の垂下部が広がって本体側嵌合部上に進入し、ある程度進入すると弾性的に収縮して本体側勘合部と係合する。それ以降は、蓋体側嵌合部の垂下部が本体側嵌合部の周囲で弾性に収縮することにより蓋体等と本体等の係合状態が維持される。
【０００９】
上記嵌合部を有する合成樹脂製容器の蓋を開くときは、蓋体側嵌合部の縁の一部に爪等をかけ、蓋体側嵌合部の垂下部を広げ、本体側嵌合部との係合を外することによって蓋体等を取り去ることができる。あるいは、本体等を把持して蓋体等を強制的に引き上げ、蓋体側嵌合部の弾性的な収縮力に抗して本体側嵌合部と蓋体側嵌合部の係合を外して、蓋体等を取り去ることもできる。
【００１０】
しかし、上記従前の合成樹脂製容器の蓋を開くときに、蓋体側嵌合部の縁部に爪等をかけたり、強制的に蓋体等を引き上げたりしなければならず、蓋を開く操作が困難であった。
【００１１】
これに対して、特開２００２−９６８５１号公報には、蓋を開く操作を容易にする合成樹脂製容器が記載されている。
【００１２】
特開２００２−９６８５１号公報に記載された合成樹脂製容器は、本体側嵌合部と蓋体側嵌合部にそれぞれ開閉片を設け、それぞれの開閉片は、基端部と、基端部に接続された相対的に小径な湾曲部を有する第１係合部と、前記第１係合部に接続された相対的に大径な湾曲部を有する第２係合部と、前記第２係合部に接続されたアーム部とを有する。
【００１３】
特開２００２−９６８５１号公報に記載された合成樹脂製容器によれば、前記開閉片のアーム部を上方向あるいは下方向に回動させることによって、開閉片の第１係合部と第２係合部の係合を外すことができる。
【特許文献１】特開２００２−９６８５１号公報
【発明の開示】
【発明が解決しようとする課題】
【００１４】
しかし、上記特開２００２−９６８５１号公報に記載された従来の合成樹脂製容器は、開閉片が基端部、小径な湾曲の第１係合部、大径な湾曲の第２係合部、アーム部という順序で構成されており、実際に蓋の開操作をしようとすると、大径の湾曲の第２係合部の係合を外すことが主になり、小径な湾曲の第１係合部はほとんど開閉における機能を果たすことがなかった。
【００１５】
すなわち、上記従来の合成樹脂製容器においては、蓋を閉じるときは蓋体の大径の湾曲の第２係合部を本体の大径の湾曲の第２係合部に押し込めば、付随的に蓋体の第１係合部と本体の第１係合部同士が係合し、蓋を閉める動作が完了する。その際に、大径の湾曲の第２係合部同士の係合は吸着閉鎖的に係合するが、小径の湾曲の第１係合部はあくまでも付随的にしか係合しない。
【００１６】
一方、上記従来の合成樹脂製容器において蓋を開けるときは、蓋体の大径の湾曲の第２係合部を本体の大径の湾曲の第２係合部から外すことが困難であり、大径の湾曲の第２係合部を外したときは、すでに小径の湾曲の第１係合部は外れた状態になっており、小径の湾曲の第１係合部は係合を外すことに関してほとんど機能を果たしていない。
【００１７】
このように、上記従来の合成樹脂製容器においては、小径の湾曲の第１係合部は、付随的にしか作用せず、開閉における機能を果たすことがなかった。
【００１８】
そこで、本発明が解決しようとする課題は、上記大径の湾曲の第２係合部同士の係合を主係合とすると、前記主係合が係合状態にあるときはその係合状態を確実に維持するとともに、前記主係合を外すときは、主係合を外すのを容易にする副係合の機能を有する合成樹脂製容器を提供するものである。
【００１９】
言葉を変えるとは、本発明の解決しようとする課題は、本体と蓋体に互いに係合する開閉片を設け、前記開閉片のいずれかを操作することにより簡単に蓋を開くことができ、閉めるときはカチッという吸着閉鎖感がある閉じる操作ができる合成樹脂製嵌合容器を提供することにある。
【課題を解決するための手段】
【００２０】
本発明による合成樹脂製嵌合容器は、
合成樹脂製の本体と蓋体、あるいは互いに枢動開閉可能に形成された合成樹脂製の本体部と蓋体部からなり、
前記本体あるいは本体部と前記蓋体あるいは蓋体部は、本体側嵌合部と蓋体側嵌合部で互いに嵌合し、
前記本体あるいは本体部は前記本体側嵌合部から容器外方に延出する本体側開閉片を有し、
前記本体側開閉片は、延出方向と平行な垂直断面によって切断した断面形状が、本体側開閉片基端部と、前記本体側開閉片基端部に接続し相対的に大径の曲率半径を有する本体側開閉片第１係合部と、前記本体側開閉片第１係合部に接続し相対的に小径の曲率半径を有し膨出方向が前記本体側開閉片第１係合部の膨出方向と反対の本体側開閉片第２係合部とを有し、
前記蓋体あるいは蓋体部は前記蓋体側嵌合部から容器外方に延出する蓋体側開閉片を有し、
前記蓋体側開閉片は、蓋の閉状態においてその延出方向と平行な垂直断面によって切断した断面形状が、前記本体側開閉片基端部に沿って延在する蓋体側開閉片基端部と、前記蓋体開閉片基端部に接続し前記本体側開閉片第１係合部に沿って延在し前記本体側開閉片第１係合部と係合する蓋体側開閉片第１係合部と、前記蓋体側開閉片第１係合部に接続し前記本体側開閉片第２係合部に沿って延在し前記本体側開閉片第２係合部と係合する蓋体側開閉片第２係合部と、前記蓋体側開閉片第２係合部に続く蓋体側開閉片アーム部とを有する、ことを特徴とする。
【００２１】
前記本体側開閉片第１係合部は下方に膨出し、前記本体側開閉片第２係合部は前記本体側開閉片第１係合部の内側に膨出するようにすることができる。
【００２２】
前記本体側開閉片第１係合部は上方に膨出し、前記本体側開閉片第２係合部は前記本体側開閉片第１係合部の内側に膨出するようにすることができる。
【００２３】
前記本体側開閉片は、前記本体側開閉片第２係合部に接続し、前記蓋体側開閉片アーム部と異なる長さの本体側開閉片アーム部を有するようにすることができる。
【００２４】
前記本体側開閉片アーム部は、前記本体側開閉片第２係合部に続く第１アーム部と、前記第１アーム部に続く前記第１アーム部に対して直角に配設された第２アーム部とを有するようにすることができる。
【００２５】
本発明による合成樹脂製嵌合容器は、
合成樹脂製の本体と蓋体、あるいは互いに枢動開閉可能に形成された合成樹脂製の本体部と蓋体部からなり、
前記本体あるいは本体部と前記蓋体あるいは蓋体部は、本体側嵌合部と蓋体側嵌合部で互いに嵌合し、
前記本体あるいは本体部は前記本体側嵌合部から容器外方に延出する本体側開閉片を有し、
前記本体側開閉片は、延出方向と平行な垂直断面によって切断した断面形状が、本体側開閉片基端部と、前記本体側開閉片基端部に接続し下方に膨出する円弧状の本体側開閉片第１係合部と、前記本体側開閉片第１係合部の先端部あるいはそれに続く小片に形成された前記本体側開閉片第１係合部の内側に突出する突起からなる本体側開閉片第２係合部とを有し、
前記蓋体あるいは蓋体部は前記蓋体側嵌合部から容器外方に延出する蓋体側開閉片を有し、
前記蓋体側開閉片は、蓋の閉状態においてその延出方向と平行な垂直断面によって切断した断面形状が、前記本体側開閉片基端部に沿って延在する蓋体側開閉片基端部と、前記蓋体側開閉片基端部に接続し前記本体側開閉片第１係合部に沿って延在し前記本体側開閉片第１係合部と係合する蓋体側開閉片第１係合部と、前記蓋体側開閉片第１係合部の先端部あるいは前記蓋体側開閉片第１係合部に続く小片に形成され前記本体側開閉片第２係合部の突起と係合する溝からなる蓋体側開閉片第２係合部と、前記蓋体側開閉片第２係合部に続く蓋体側開閉片アーム部とを有する、ことを特徴とする。
【００２６】
また、本発明による合成樹脂製嵌合容器は、
合成樹脂製の本体と蓋体、あるいは互いに枢動開閉可能に形成された合成樹脂製の本体部と蓋体部からなり、
前記本体あるいは本体部と前記蓋体あるいは蓋体部は、本体側嵌合部と蓋体側嵌合部で互いに嵌合し、
前記本体あるいは本体部は前記本体側嵌合部から容器外方に延出する本体側開閉片を有し、
前記本体側開閉片は、延出方向と平行な垂直断面によって切断した断面形状が本体側開閉片基端部と、前記本体側開閉片基端部に続く上方に膨出する円弧状の本体側開閉片第１係合部と、前記本体側開閉片第１係合部の先端部あるいはそれに続く小片の前記本体側開閉片第１係合部の膨出側表面に形成された溝からなる本体側開閉片第２係合部とを有し、
前記蓋体あるいは蓋体部は前記蓋体側嵌合部から容器外方に延出する蓋体側開閉片を有し、
前記蓋体側開閉片は、蓋の閉状態においてその延出方向と平行な垂直断面によって切断した断面形状が、前記本体側開閉片基端部に沿って延在する蓋体側開閉片基端部と、前記蓋体側開閉片基端部に接続し前記本体側開閉片第１係合部に沿って延在し前記本体側開閉片第１係合部と係合する蓋体側開閉片第１係合部と、前記蓋体側開閉片第１係合部の先端部あるいは前記蓋体側開閉片第１係合部に続く小片に形成され前記本体側開閉片第２係合部の溝と係合する突起からなる蓋体側開閉片第２係合部と、前記蓋体側開閉片第２係合部に続く蓋体側開閉片アーム部とを有する、ことを特徴とする。
【００２７】
前記本体側開閉片は、前記本体側開閉片第２係合部に接続し、前記蓋体側開閉片アーム部と異なる長さの本体側開閉片アーム部を有するようにすることができる。
【００２８】
前記本体側開閉片アーム部は、前記本体側開閉片第２係合部に続く第１アーム部と、前記第１アーム部に続く前記第１アーム部に対して直角に配設された第２アーム部とを有するようにすることができる。
【発明の効果】
【００２９】
本発明は、本体側開閉片と蓋体側開閉片が、基端部から先端部に向かって、基端部、大径の曲率半径を有する第１係合部、小径の曲率半径を有する第２係合部、アーム部を前記順序で有している。
【００３０】
上記構成により、蓋を閉じるときは、蓋体または蓋体部を閉じた後に、蓋体側開閉片の第１係合部を、本体側開閉片の第１係合部に押し込むようにする。前記押しこむ力により、蓋体側開閉片と本体側開閉片のいずれか一方の第１係合部の湾曲部がさらに湾曲するとともに他の開閉片の第１係合部の湾曲部が押し広げられることにより、蓋体側開閉片の第１係合部が本体側開閉片の内側または外側に進入し、ある程度進入すると両開閉片は元々互いに平行になるような形状を有しているので、弾性復元力によって互いに吸着的に係合する。
【００３１】
蓋体側開閉片と本体側開閉片の第１係合部が完全に平行状態になるまで係合すると、蓋体側開閉片の第２係合部は本体側開閉片の第２係合部と位置整合し、蓋体側開閉片の第２係合部が本体側開閉片の第２係合部にカチリと係合する。
【００３２】
このように、本発明によれば、蓋を閉じる操作のときは、蓋体側開閉片の第２係合部と本体側開閉片の第２係合部は、開閉片が完全に係合を完了すると互いに吸着的に係合し、吸着閉鎖感がある蓋の閉操作を実現することができる。
【００３３】
また、本発明によれば、蓋が閉じている状態の間は、蓋体側開閉片と本体側開閉片の第２係合部は、互いに係合して、蓋体側開閉片と本体側開閉片の相対的な横滑りを防止する。
【００３４】
一般に、蓋体側開閉片と本体側開閉片の係合を解除するときは、最初に蓋体側開閉片を本体側開閉片から抜き出すようにして蓋体側開閉片と本体側開閉片を相対的に横滑りさせなければならない。本発明は、蓋体側開閉片と本体側開閉片の第２係合部が互いに係合していることにより、蓋体側開閉片が誤って本体側開閉片から抜き出されることを防止し、蓋体側開閉片と本体側開閉片の係合を確実に維持することができる。
【００３５】
すなわち、本発明において蓋体側開閉片と本体側開閉片の係合を解除するときは、最初に蓋体側開閉片の第２係合部と本体側開閉片の第２係合部の係合を外し、次に蓋体側開閉片の第１係合部と本体側開閉片の第１係合部の係合を外すようにする。
【００３６】
このように、本発明によれば、蓋体側開閉片と本体側開閉片の係合を解除するときは、まず蓋体側開閉片と本体側開閉片の第２係合部の係合を解除しなければならず、これによって誤った操作による蓋体側開閉片と本体側開閉片の係合の解除を防止することができる。
【００３７】
一方、正しい操作によって蓋体側開閉片と本体側開閉片の係合を解除するときは、本発明による合成樹脂製容器によれば容易に解除することができる。
【００３８】
具体的には、本発明の蓋体側開閉片と本体側開閉片の少なくとも一方がアーム部を有し、そのアーム部を回動等操作することにより、開閉片の第２係合部の係合を容易に外し、続いて開閉片の第１係合部の係合を容易に外すことができる。
【００３９】
すなわち、アーム部を回動させることにより、アーム部がてこのように働き、最初に第２係合部の係合部を外し、次に、第１係合部の湾曲部をさらに湾曲あるいは伸張させ、一連の動きで蓋体側開閉片と本体側開閉片の第１係合部の係合を外すことができる。
【００４０】
このように、本発明によれば、アーム部を持ち上げることによって、開閉片の第２係合部の係合が解除され、続いて第１係合部が容易に係合を解除され、蓋を開くことができる。
【００４１】
本体側開閉片のアーム部が第１アーム部と前記第１アーム部に続く直角に配設された第２アーム部とを有する合成樹脂製容器においては、アーム部が容器から外方に大きく突出することがない。そして、第２アーム部を回動させることにより、最初に第２係合部の係合部を外し、続いて、第１係合部の湾曲部をさらに湾曲あるいは伸張させ、一連の動きで蓋体側開閉片と本体側開閉片の係合を外すことができる。
【発明を実施するための最良の形態】
【００４２】
図１は本発明の一実施形態による合成樹脂製容器の全体を示している。
【００４３】
本実施形態による合成樹脂製容器１は、互いに枢動開閉可能に形成された合成樹脂製の本体部２と蓋体部３とからなる。
【００４４】
なお、本実施形態による合成樹脂製容器１は、本体部２と蓋体部３が互いに接続され枢動開閉可能な容器であるが、完全に切り離された独立別個の本体と蓋体とを有する容器とすることもできる。
【００４５】
本体部２と蓋体部３は、本体側嵌合部４と蓋体側嵌合部５で互いに嵌合している。
【００４６】
本実施形態における本体側嵌合部４は、本体部２の上縁から水平に延びたフランジと、前記フランジから傾斜して垂下した垂下部とを有している。
【００４７】
本実施形態における蓋体側嵌合部５は、蓋体部３の一部すなわち周辺部の平面部分と、前記周辺部から傾斜して垂下した垂下部とからなる。
【００４８】
本体部２の本体側嵌合部４から容器外方に延出する本体側開閉片６が設けられている。一方、蓋体部３の蓋体側嵌合部５から容器外方に延出する蓋体側開閉片７が設けられている。
【００４９】
図２(a)は、図１の矢印Ａ−Ａ方向から見た係合状態の本体側開閉片６と蓋体側開閉片７を示している。
【００５０】
本体側開閉片６は、延出方向と平行な垂直断面によって切断した断面（本実施形態におけるＡ−Ａ断面）の形状が、本体側開閉片基端部６ａと、本体側開閉片基端部６ａに接続し相対的に大径の曲率半径を有し下方に膨出する本体側開閉片第１係合部６ｂと、本体側開閉片第１係合部６ｂに接続し相対的に小径の曲率半径を有し膨出方向が前記本体側開閉片第１係合部６ｂの膨出方向と反対の、すなわち本体側開閉片第１係合部６ｂの内側に膨出する本体側開閉片第２係合部６ｃと、本体側開閉片アーム部６ｄとを有している。
【００５１】
一方、蓋体側開閉片７は、延出方向と平行な垂直断面によって切断した断面（本実施形態ではＡ−Ａ断面）の形状が、蓋の閉状態において、本体側開閉片基端部６ａに沿って延在する蓋体側開閉片基端部７ａと、蓋体開閉片基端部７ａに接続し本体側開閉片第１係合部６ｂに沿って延在する蓋体側開閉片第１係合部７ｂと、蓋体側開閉片第１係合部７ｂに接続し本体側開閉片第２係合部６ｃに沿って延在する蓋体側開閉片第２係合部７ｃと、蓋体側開閉片第２係合部７ｃに続く蓋体側開閉片アーム部７ｄとを有している。
【００５２】
本体側開閉片第１係合部６ｂと蓋体側開閉片第１係合部７ｂは互いに弾性的に係合し、本体側開閉片第２係合部６ｃと蓋体側開閉片第２係合部７ｃは互いに弾性的に係合している。
【００５３】
なお、本体側開閉片第２係合部６ｃは図面の都合上単なる突起のように示されているが、本体側開閉片第２係合部６ｃは相対的に小径な曲率半径を有する湾曲部を有している。
【００５４】
本実施形態では本体側開閉片アーム部６ｄが設けられているが、本体側開閉片アーム部６ｄは必須ではない。本体側開閉片アーム部６ｄが設けられている場合は、図２(a)に示すように、本体側開閉片アーム部６ｄと蓋体側開閉片アーム部７ｄは長さが異なるのが好ましい。
【００５５】
次に図２(b)を用いて図２(a)の状態から蓋を開けるときの操作、すなわち本体側開閉片６と蓋体側開閉片７の係合を外す操作について説明する。
【００５６】
図２(a)の状態から本体側開閉片６と蓋体側開閉片７の係合を外すには、蓋体側開閉片アーム部７ｄを図２(b)に示すように、本体側開閉片６に対して相対的に上方に持ち上げるようにする。図２(b)における矢印は、蓋体側開閉片アーム部７ｄを本体側開閉片アーム部６ｄに対して相対的に上方に持ち上げることを示している。好ましくは、本体側開閉片アーム部６ｄを保持した状態で蓋体側開閉片アーム部７ｄを持ち上げるようにするのがよい。
【００５７】
蓋体側開閉片アーム部７ｄを持ち上げることにより、蓋体側開閉片アーム部７ｄがてこのように働き、蓋体側開閉片第２係合部７ｃが本体側開閉片第２係合部６ｃから外れる方向に動いて両者の係合が外れる。
【００５８】
そして、上記蓋体側開閉片アーム部７ｄをさらに持ち上げると、蓋体側開閉片第１係合部７ｂの湾曲部がさらに湾曲し、曲率半径が小さくなる。
【００５９】
さらに蓋体側開閉片アーム部７ｄを持ち上げるようにすると、蓋体側開閉片第１係合部７ｂは本体側開閉片第１係合部６ｂから抜き出されるようになる。
【００６０】
一方、本体側開閉片アーム部６ｄを相対的に下方に押し下げる操作は、本体側開閉片第２係合部６ｃを蓋体側開閉片第２係合部７ｃから外れるようにし、本体側開閉片第１係合部６ｂの湾曲部を拡開し、本体側開閉片第１係合部６ｂを蓋体側開閉片第１係合部７ｂから外すように作用する。
【００６１】
上記蓋体側開閉片アーム部７ｄと本体側開閉片アーム部６ｄの操作は、一連の動きによって蓋体側開閉片７を本体側開閉片６から外れさせる。
【００６２】
蓋体側開閉片７が本体側開閉片６から外れると、蓋体部３が開けられるようになる。
【００６３】
以上の説明から明らかなように、本発明によれば、最初に蓋体側と本体側の両開閉片の第２係合部の係合を外し、次に、第１係合部の湾曲部をさらに湾曲あるいは伸張させ、一連の動きで蓋体側開閉片と本体側開閉片の係合を外すことができる。
【００６４】
蓋を閉めるときに操作は、上記蓋を開ける操作の逆を行えばよい。
【００６５】
すなわち、最初に本体部２上に蓋体部３を閉じ、蓋体側開閉片第１係合部７ｂを本体側開閉片第１係合部６ｂの内部に押し込むようにする。
【００６６】
蓋体側開閉片第１係合部７ｂは本体側開閉片第１係合部６ｂの内側に押し込まれることによって、蓋体側開閉片第１係合部７ｂの湾曲部がさらに湾曲し小さな曲率半径を有するようになる。
【００６７】
一方、本体側開閉片第１係合部６ｂは、蓋体側開閉片第１係合部７ｂが押し込まれることにより湾曲部が拡開する。
【００６８】
この状態でさらに、蓋体側開閉片第１係合部７ｂを本体側開閉片第１係合部６ｂの内部に押し込むようにすると、蓋体側開閉片第１係合部７ｂが本体側開閉片第１係合部６ｂの内部に進入する。
【００６９】
蓋体側開閉片第１係合部７ｂがある程度本体側開閉片第１係合部６ｂの内部に進入すると、元々蓋体側開閉片第１係合部７ｂと本体側開閉片第１係合部６ｂは、断面形状が互いに平行に延在するように形成されているので、弾性的な戻り力が働いて、蓋体側開閉片第１係合部７ｂが本体側開閉片第１係合部６ｂの内部に吸着的に進入する。
【００７０】
蓋体側開閉片第１係合部７ｂが本体側開閉片第１係合部６ｂに完全に進入・係合すると、蓋体側開閉片第２係合部７ｃと本体側開閉片第２係合部６ｃが位置整合し、蓋体側開閉片第２係合部７ｃが本体側開閉片第２係合部６ｃにカチリと係合する。
【００７１】
このように、合成樹脂製容器１によれば、蓋を閉じる操作のときに、蓋体側開閉片第１係合部７ｂと本体側開閉片第１係合部６ｂが完全に係合を完了すると、蓋体側開閉片第２係合部７ｃと本体側開閉片第２係合部６ｃが互いに吸着的に係合し、吸着閉鎖感がある蓋の閉操作を実現することができる。
【００７２】
本実施形態の合成樹脂製容器１によれば、蓋が閉じられている間は、蓋体側開閉片第２係合部７ｃと本体側開閉片第２係合部６ｃが互いに係合して蓋体側開閉片７と本体側開閉片６の相対的な横滑りを防止し、誤操作による本体側開閉片６と蓋体側開閉片７の係合の解除を防止する。
【００７３】
すなわち、湾曲部同士が係合する構造の蓋体側開閉片と本体側開閉片の係合を解除するときは、蓋体側開閉片の湾曲部を本体側開閉片の湾曲部から抜き出すようにして最初に蓋体側開閉片と本体側開閉片とを相対的に横滑りさせなければならない。
【００７４】
本発明は、蓋体側開閉片７と本体側開閉片６の第２係合部７ｂ，６ｂが互いに係合していることにより、蓋体側開閉片７と本体側開閉片６の相対的な横滑りを防止している。本発明によれば、蓋体側開閉片第１係合部７ｂを本体側開閉片第１係合部６ｂから抜き出すためにはまず蓋体側開閉片第２係合部７ｃと本体側開閉片第２係合部６ｃの係合を解除しなければならない。これにより、本発明においては蓋体側開閉片７が本体側開閉片６から抜き出され難く、誤操作によって本体側開閉片６と蓋体側開閉片７の係合が解除されることが防止され、蓋体側開閉片７と本体側開閉片６の係合を確実に維持することができる。
【００７５】
一方、正しい操作によって蓋体側開閉片７と本体側開閉片６の係合を解除するときは、蓋体側開閉片アーム部７ｄの一連の動きによって容易に係合を解除することができるのは上述したとおりである。
【００７６】
上記実施形態では、本体側嵌合部４は本体部２の上縁から水平に延びたフランジと、前記フランジから傾斜して垂下した垂下部とを有している。一方、蓋体側嵌合部５は、蓋体部３の一部すなわち周辺部の平面部分と、前記平面部分から傾斜して垂下した垂下部とからなる。しかし、本発明においては、本体側嵌合部と蓋体側嵌合部は任意の公知の嵌合部構造とすることができる。
【００７７】
図３に公知の嵌合部構造の例を示す。
【００７８】
図３(a)の嵌合部構造は、本体部８が、側壁８ａを有し、側壁８ａの上縁部に水平なフランジ部８ｂが設けられ、前記フランジ部８ｂに続いて傾斜して垂下する垂下部８ｃを有している。
【００７９】
一方、蓋体部９は、その周縁部に傾斜して垂下する垂下部９ａを有し、前記垂下部９ａに続いて水平なフランジ部９ｂを有し、さらに前記フランジ部に続いて傾斜して垂下する垂下部９ｃを有している。
【００８０】
この場合の本体側嵌合部は、フランジ部８ｂと垂下部８ｃからなり、蓋体側嵌合部はフランジ部９ｂと垂下部９ｃとからなる。本体側開閉片と蓋体側開閉片は図１，２と同様のものであるので説明を省略する。
【００８１】
図３(b)の嵌合部構造は、本体部１０が、側壁１０ａを有し、側壁１０ａの上縁部に水平なフランジ部１０ｂが設けられ、前記フランジ部１０ｂに続いて立上り部１０ｃを有し、前記立上り部１０ｃの上縁部に水平な頂面部１０ｄを有し、前記頂面部１０ｄに続いて傾斜して垂下する垂下部１０ｅを有している。
【００８２】
一方、蓋体部１１は、その周縁部に傾斜して垂下する垂下部１１ａを有し、前記垂下部１１ａに続いて水平なフランジ部１１ｂを有している。
【００８３】
本体部１０の立上り部１０ｃの基部には、蓋体部１１のフランジ部１１ｂの先端と係合する溝１２が設けられている。
【００８４】
図３(b)の本体側嵌合部は、フランジ部１０ｂと立上り部１０ｃと頂面部１０ｄと垂下部１０ｅとからなり、蓋体側嵌合部はフランジ部１１ｂからなる。本体側開閉片と蓋体側開閉片は図１，２と同様のものであるので説明を省略する。
【００８５】
以上の嵌合部構造の例から明らかなように、嵌合部構造は種々の公知の構造をとることができるが、およそ嵌合部は本体部と蓋体部とを嵌合させて容器の内部を閉じた空間にする機能を発揮する部分であり、本発明において「開閉片が嵌合部から容器外方に延出する」というときは、上記嵌合させて容器の内部を閉じた空間にする本体部と蓋体部の一部から容器の外方に延出することをいい、開閉片の取り出し位置や取り付け位置は適宜選択することができる。
【００８６】
次に、本発明の他の実施形態について説明する。
【００８７】
図４は、本体と蓋体の両開閉片の第１係合部が上に膨出している実施形態を示している。
【００８８】
図４(a)は、係合状態の本実施形態の本体側開閉片１３と蓋体側開閉片１４を示している。
【００８９】
本実施形態の開閉片は、図２の開閉片の第１係合部が下方に膨出しているのに対し、本実施形態は開閉片の第１係合部が上方に膨出している。本体部と蓋体部は、図２のものと同一なので説明を省略する。
【００９０】
本体側開閉片１３は、延出方向と平行な垂直断面によって切断した断面の形状が、本体側開閉片基端部１３ａと、本体側開閉片基端部１３ａに接続し相対的に大径の曲率半径を有し上方に膨出する本体側開閉片第１係合部１３ｂと、本体側開閉片第１係合部１３ｂに接続し相対的に小径の曲率半径を有し本体側開閉片第１係合部１３ｂの内側に膨出する本体側開閉片第２係合部１３ｃと、本体側開閉片アーム部１３ｄとを有している。
【００９１】
一方、蓋体側開閉片１４は、延出方向と平行な垂直断面によって切断した断面形状が、蓋の閉状態において、本体側開閉片基端部１３ａに沿って延在する蓋体側開閉片基端部１４ａと、蓋体開閉片基端部１４ａに接続し本体側開閉片第１係合部１３ｂに沿って延在する蓋体側開閉片第１係合部１４ｂと、蓋体側開閉片第１係合部１４ｂに接続し本体側開閉片第２係合部１３ｃに沿って延在する蓋体側開閉片第２係合部１４ｃと、蓋体側開閉片第２係合部１４ｃに続く蓋体側開閉片アーム部１４ｄとを有している。
【００９２】
図４(b)は、図４(a)の開閉片の係合を解除する操作を説明した図である。
【００９３】
図４(a)の状態から本体側開閉片１３と蓋体側開閉片１４の係合を外すには、蓋体側開閉片アーム部１４ｄを図４(b)に示すように、本体側開閉片１３に対して相対的に上方に持ち上げるようにする。
【００９４】
蓋体側開閉片アーム部１４ｄを持ち上げることにより、蓋体側開閉片第２係合部１４ｃが本体側開閉片第２係合部１３ｃから外れる方向に動いて両者の係合が外れる。
【００９５】
上記蓋体側開閉片アーム部１４ｄをさらに持ち上げると、蓋体側開閉片第１係合部１４ｂの湾曲部が拡開し、蓋体側開閉片第１係合部１４ｂの開口部が広がって、蓋体側開閉片第１係合部１４ｂと本体側開閉片第１係合部１３ｂの係合が外れやすくなる。
【００９６】
一方、本体側開閉片アーム部１３ｄを相対的に下方に押し下げる操作は、本体側開閉片第２係合部１３ｃを蓋体側開閉片第２係合部１４ｃから外れるようにし、本体側開閉片第１係合部１３ｂの湾曲部をさらに湾曲させ、本体側開閉片第１係合部１３ｂと蓋体側開閉片第１係合部１４ｂの係合を外れやすくする。
【００９７】
以上の説明から明らかなように、本体側開閉片アーム部１３ｄと蓋体側開閉片アーム部１４ｄとを相対的に拡開するように回動させると、最初に本体側と蓋体側の第２係合部１３ｃ，１４ｃが外れ、本体側と蓋体側の第１係合部１３ｂ，１４ｂが外れやすくなって外れる方向に動き、さらに本体側開閉片アーム部１３ｄと蓋体側開閉片アーム部１４ｄを回動させるとついに本体側と蓋体側の第１係合部１３ｂ，１４ｂの係合が外れる。  このように、本実施形態においても、本体側開閉片アーム部１３ｄと蓋体側開閉片アーム部１４ｄの一連の回動によって本体側開閉片１３と蓋体側開閉片１４の係合を解除することができる。
【００９８】
本体側開閉片１３と蓋体側開閉片１４とを係合させるときは、本体側開閉片第１係合部１３ｂを蓋体側開閉片第１係合部１４ｂの内部に押し込むようにする。
【００９９】
本体側開閉片第１係合部１３ｂを蓋体側開閉片第１係合部１４ｂの内側に押し込むことによって、本体側開閉片第１係合部１３ｂは、曲率半径が小さくなって、拡開した蓋体側開閉片第１係合部１４ｂの内部に進入する。
【０１００】
本体側開閉片第１係合部１３ｂが完全に蓋体側開閉片第１係合部１４ｂの内部に進入して係合すると、本体側開閉片第２係合部１３ｃと蓋体側開閉片第２係合部１４ｃとが位置整合しカチリと係合する。
【０１０１】
このように、本実施形態の合成樹脂製容器によれば、蓋を閉じる操作のときに、吸着閉鎖感がある蓋の閉操作を実現することができる。
【０１０２】
この実施形態においても、本体側開閉片第２係合部１３ｃと蓋体側開閉片第２係合部１４ｃの係合によって、誤操作によって本体側開閉片１３と蓋体側開閉片１４の係合が外れることを防止し、容器の閉状態を維持することができる点は図２の合成樹脂製容器１と同様である。
【０１０３】
図５は本発明のさらに他の実施形態を示している。
【０１０４】
本実施形態は、本体側開閉片アーム部が途中で直角に折れっている点を除いて図２に示した実施形態と同様である。
【０１０５】
以下の説明において図２と同一部分について図２と同一の符号を付して重複する説明を省略する。
【０１０６】
図５に示すように、本実施形態においては、本体側開閉片６は、本体側開閉片６ａと、本体側開閉片第１係合部６ｂと、本体側開閉片第２係合部６ｃと、本体側開閉片アーム部１５とを有している。
【０１０７】
本体側開閉片アーム部１５は、本体側開閉片第２係合部６ｃに接続された第１アーム部１５ａと、前記第１アーム部１５ａに接続され第１アーム部１５ａに対して直角に配設された第２アーム部１５ｂとからなる。
【０１０８】
本実施形態によれば、アーム部７ｄ，１５が容器から外方に大きく突出することがないという利点を有する。この点は、容器の収納、輸送、展示において極めて有利である。
【０１０９】
また、本実施形態によれば、開閉が極めて好都合である。
【０１１０】
すなわち、図５に示すように、第２アーム部１５ｂの下端部を容器の方向に押し込むことにより、第２アーム部１５ｂがてこのようになって本体側開閉片第２係合部６ｃを引き上げ、本体側開閉片第２係合部６ｃと蓋体側開閉片第２係合部７ｃの係合を解除する。また、同操作は、本体側開閉片第１係合部６ｂを拡開させ、蓋体側開閉片第１係合部７ｂと本体側開閉片第１係合部６ｂの係合の解除を極めて容易にする。
【０１１１】
第２アーム部１５ｂと蓋体側開閉片アーム部７ｄとを相対的に拡開するように操作することにより、容易に本体側開閉片６と蓋体側開閉片７の係合を解除することができる。
【０１１２】
以上の実施形態は、第２係合部として開閉片の一部に相対的に小径の湾曲部を形成している。しかし、第２係合部として溝と突起の組合せを用いてもよい。以下の実施形態は第２係合部として溝と突起の組合せを用いたものである。
【０１１３】
図６は図２に示した実施形態における第２係合部を溝と突起に置き換えたものである。
【０１１４】
図６に示した実施形態では、合成樹脂製容器１６は、合成樹脂製の本体部１７と蓋体部１８とからなる。
【０１１５】
本体部１７は本体側嵌合部１７ａを有し、蓋体部１８は蓋体側嵌合部１８ａを有している。
【０１１６】
本体側嵌合部１７ａからは、容器外方に延出する本体側開閉片１９が延設されている。同様に、蓋体側嵌合部１８ａからは容器外方に延出する蓋体側開閉片２０が延設されている。
【０１１７】
本体側開閉片１９は、延出方向と平行な垂直断面によって切断した断面形状が、本体側開閉片基端部１９ａと、前記本体側開閉片基端部１９ａに接続し下方に膨出する円弧状の本体側開閉片第１係合部１９ｂと、前記本体側開閉片第１係合部１９ｂに接続された本体側開閉片アーム部１９ｃとを有している。
【０１１８】
本体側開閉片第１係合部１９ｂの先端部には、前記本体側開閉片第１係合部の内側に突出する突起１９ｄが設けられている。突起１９ｄは本体側開閉片第２係合部を構成している。
【０１１９】
一方、蓋体側開閉片２０は、蓋の閉状態においてその延出方向と平行な垂直断面によって切断した断面形状が、前記本体側開閉片基端部１９ａに沿って延在する蓋体側開閉片基端部２０ａと、蓋体側開閉片基端部２０ａに接続し本体側開閉片第１係合部１９ｂに沿って延在する蓋体側開閉片第１係合部２０ｂと、前記蓋体側開閉片第１係合部２０ｂに続く蓋体側開閉片アーム部２０ｃとを有している。
【０１２０】
蓋体側開閉片第１係合部２０ｂの先端部外側には、本体側開閉片第２係合部の突起１９ｄと係合する溝２０ｄが設けられている。溝２０ｄは蓋体側開閉片第２係合部を構成している。
【０１２１】
本実施形態における作用効果は、図２に示した実施形態と同様である。
【０１２２】
なお、本実施形態においては突起１９ｄと溝２０ｄは、それぞれ本体側開閉片第１係合部１９ｂと蓋体側開閉片第１係合部２０ｂの先端部に設けられているが、突起１９ｄと溝２０ｄの取り付け位置はこれに限られず、たとえば、本体側開閉片第１係合部１９ｂと蓋体側開閉片第１係合部２０ｂに続く小片を設け、それらの小片上に設けてもよい。
【０１２３】
図７は、図６に示した実施形態の第１係合部の膨出方向を逆にしたものを示している。
【０１２４】
図７に示した実施形態は、本体側開閉片２１と蓋体側開閉片２２とを有している。
【０１２５】
本体側開閉片２１は、延出方向と平行な垂直断面によって切断した断面形状が、本体側開閉片基端部２１ａと、前記本体側開閉片基端部２１ａに接続し上方に膨出する円弧状の本体側開閉片第１係合部２１ｂと、前記本体側開閉片第１係合部２１ｂに接続された本体側開閉片アーム部２１ｃとを有している。
【０１２６】
本体側開閉片第１係合部２１ｂの先端部外側には溝２１ｄが設けられている。溝２１ｄは本体側開閉片第２係合部を構成している。
【０１２７】
一方、蓋体側開閉片２２は、蓋の閉状態においてその延出方向と平行な垂直断面によって切断した断面形状が、前記本体側開閉片基端部２１ａに沿って延在する蓋体側開閉片基端部２２ａと、蓋体側開閉片基端部２２ａに接続し本体側開閉片第１係合部２１ｂに沿って延在する蓋体側開閉片第１係合部２２ｂと、前記蓋体側開閉片第１係合部２２ｂに続く蓋体側開閉片アーム部２２ｃとを有している。
【０１２８】
蓋体側開閉片第１係合部２２ｂの先端部内側には、本体側開閉片第２係合部の溝２１ｄと係合する突起２２ｄが設けられている。突起２２ｄは蓋体側開閉片第２係合部を構成している。
【０１２９】
本実施形態における作用効果は、図２，６に示した実施形態と同様である。
【０１３０】
本実施形態においては溝２１ｄと突起２２ｄは、それぞれ本体側開閉片第１係合部２１ｂと蓋体側開閉片第１係合部２２ｂの先端部に設けられているが、溝２１ｄと突起２２ｄの取り付け位置はこれに限られず、たとえば、本体側開閉片第１係合部２１ｂと蓋体側開閉片第１係合部２２ｂに続く小片を設け、それらの小片上に設けてもよい。
【図面の簡単な説明】
【０１３１】
【図１】本発明の一実施形態による合成樹脂製容器の斜視図。
【図２】本発明の一実施形態による合成樹脂製容器の開閉片の縦断面図。
【図３】嵌合部構造の例を示した縦断面図。
【図４】本発明の一実施形態による合成樹脂製容器の開閉片の縦断面図。
【図５】本発明の一実施形態による合成樹脂製容器の開閉片の縦断面図。
【図６】本発明の一実施形態による合成樹脂製容器の開閉片の縦断面図。
【図７】本発明の一実施形態による合成樹脂製容器の開閉片の縦断面図。
【符号の説明】
【０１３２】
１  合成樹脂製容器
２  本体部
３  蓋体部
４  本体側嵌合部
５  蓋体側嵌合部
６  本体側開閉片
６ａ  本体側開閉片
６ｂ  本体側開閉片第１係合部
６ｃ  本体側開閉片第２係合部
６ｄ  本体側開閉片アーム部
７  蓋体側開閉片
７ａ  蓋体側開閉片基端部
７ｂ  蓋体側開閉片第１係合部
７ｃ  蓋体側開閉片第２係合部
７ｄ  蓋体側開閉片アーム部
８  本体部
８ａ  側壁
８ｂ  フランジ部
８ｃ  垂下部
９  蓋体部
９ａ  垂下部
９ｂ  フランジ部
９ｃ  垂下部
１０  本体部
１０ａ  側壁
１０ｂ  フランジ部
１０ｃ  立上り部
１０ｄ  頂面部
１０ｅ  垂下部
１１  蓋体部
１１ａ  垂下部
１１ｂ  フランジ部
１２  溝
１３  本体側開閉片
１３ａ  本体側開閉片基端部
１３ｂ  本体側開閉片第１係合部
１３ｃ  本体側開閉片第２係合部
１３ｄ  本体側開閉片アーム部
１４  蓋体側開閉片
１４ａ  蓋体側開閉片基端部
１４ｂ  蓋体側開閉片第１係合部
１４ｃ  蓋体側開閉片第２係合部
１４ｄ  蓋体側開閉片アーム部
１５  本体側開閉片アーム部
１５ａ  第１アーム部
１５ｂ  第２アーム部
１６  合成樹脂製容器
１７  本体部
１７ａ  本体側嵌合部
１８  蓋体部
１８ａ  蓋体側嵌合部
１９  本体側開閉片
１９ａ  本体側開閉片基端部
１９ｂ  本体側開閉片第１係合部
１９ｃ  本体側開閉片アーム部
１９ｄ  突起
２０  蓋体側開閉片
２０ａ  蓋体側開閉片基端部
２０ｂ  蓋体側開閉片第１係合部
２０ｃ  蓋体側開閉片アーム部
２０ｄ  溝
２１  本体側開閉片
２１ａ  本体側開閉片基端部
２１ｂ  本体側開閉片第１係合部
２１ｃ  本体側開閉片アーム部
２１ｄ  溝
２２  蓋体側開閉片
２２ａ  蓋体側開閉片基端部
２２ｂ  蓋体側開閉片第１係合部
２２ｃ  蓋体側開閉片アーム部
２２ｄ  突起
【図１】
2006111274.tif 000003
【図２】
2006111274.tif 000004
【図３】
2006111274.tif 000005
【図４】
2006111274.tif 000006
【図５】
2006111274.tif 000007
【図６】
2006111274.tif 000008
【図７】
2006111274.tif 000009